(57)【要約】【課題】電気デバイス及び無線充電デバイスを制御するための方法及び装置を提供する。【解決手段】電気デバイス及び無線充電デバイスを制御するための方法及び装置は、それぞれ１又は２以上のモジュールを含む。割り込み信号が受信される。前記割り込み信号のタイプが決定される。１又は２以上の機能を実行するために、前記割り込み信号の前記タイプに基づいて第一モジュールが起動される。前記電気デバイス及び前記無線充電デバイスは、少なくとも前記第一モジュールを共有する。【選択図】図１
2015040855.tif 000002
【特許請求の範囲】
【請求項１】
１又は２以上のモジュールを含む装置を制御する方法であって、
割り込み信号を受信するステップと、
前記割り込み信号のタイプを決定するステップと、
１又は２以上の機能を実行するために、前記割り込み信号の前記タイプに基づいて前記装置の中の第１モジュールを起動するステップと、を含み、
前記装置は、電気デバイス及び無線充電デバイスを含み、かつ、
前記電気デバイス及び前記無線充電デバイスは、少なくとも前記第一モジュールを共有する方法。
【請求項２】
前記無線充電デバイスは、無線電力受信モジュールを含み、かつ、
前記電気デバイスは、前記無線電力受信モジュールと同時に動作するように構成される電気モジュールを含む、請求項１に記載の方法。
【請求項３】
前記電気モジュールは、ナビゲートモジュールであり、かつ、
前記装置は、無線でナビゲートするとともに、同時に、電力を受信するように構成される、請求項２に記載の方法。
【請求項４】
前記無線充電デバイスは、無線電力伝送モジュールを含み、かつ、
前記電気デバイスは、前記無線電力伝送モジュールと同時に動作するように構成されるモジュールを含む、請求項１に記載の方法。
【請求項５】
前記電気モジュールは、ナビゲートモジュールであり、かつ、
前記装置は、無線でナビゲートするとともに、同時に、電力を伝送するように構成される、請求項４に記載の方法。
【請求項６】
前記起動するステップの前に、前記装置の中の各モジュールに割り込みを付与するステップと、
前記第一モジュールによって実行される前記１又は２以上の機能に基づいて各モジュールに割り込みを再度付与するステップと、
をさらに含む請求項１に記載の方法。
【請求項７】
割り込みを付与する前記ステップはさらに、
各モジュールに１又は２以上の割り込みを付与するステップと、
割り込み信号のタイプと、優先度と、各割り込みの時間間隔とを付与するステップと、
を含む請求項６に記載の方法。
【請求項８】
割り込みを再度付与する前記ステップはさらに、
各モジュールに１又は２以上の割り込みを再度付与するステップと、
割り込み信号のタイプと、優先度と、各割り込みの時間間隔とを再度付与するステップと、
を含む請求項６に記載の方法。
【請求項９】
１又は２以上の機能を実行するために、前記割り込み信号の前記タイプに基づいて前記装置の中の第二モジュールを起動するステップをさらに含み、
前記第二モジュールは、前記電気デバイス及び前記無線充電デバイスによって共有されない、請求項１に記載の方法。
【請求項１０】
前記装置のカレント(current)動作モードを検出するステップと、
前記カレント動作モードに基づいて前記装置の中の各モジュールをセットアップするステップと、
をさらに含む、請求項１に記載の方法。
【請求項１１】
１又は２以上のモジュールを含む電気デバイスと、
１又は２以上のモジュールを含む無線充電デバイスであって、前記電気デバイス及び前記無線充電デバイスが少なくとも一つのモジュールを共有する、無線充電デバイスと、
前記電気デバイス及び前記無線充電デバイスに接続されている制御ユニットと、
を含む装置であって、                                      
前記制御ユニットは、
割り込み信号を受信し、かつ、前記割り込み信号のタイプを決定するように構成されるモニタリングモジュールと、
前記モニタリングモジュールに接続され、かつ、前記割り込み信号の前記タイプに基づいて、１又は２以上の機能を実行するために前記電気デバイス及び前記無線充電デバイスによって共有される第一モジュールを起動するように構成される、起動モジュールと、を含む、装置
【請求項１２】
前記無線充電デバイスは、無線電力受信モジュールを含み、かつ、
前記電気デバイスは、前記無線電力受信モジュールと同時に動作するように構成される電気モジュールを含む、請求項１１に記載の装置。
【請求項１３】
前記電気モジュールは、ナビゲートモジュールであり、かつ、
前記装置は、無線でナビゲートするとともに、同時に、電力を受信するように構成される、請求項１２に記載の装置。
【請求項１４】
前記無線充電デバイスは、無線電力伝送モジュールを含み、かつ、
前記電気デバイスは、前記無線電力伝送モジュールと同時に動作するように構成されるモジュールを含む、請求項１１に記載の装置。
【請求項１５】
前記電気モジュールは、ナビゲートモジュールであり、かつ、
前記装置は、無線でナビゲートするとともに、同時に、電力を伝送するように構成される、請求項１４に記載の方法。
【請求項１６】
前記制御ユニットはさらに、付与モジュールを含み、
前記付与モジュールは、
前記起動モジュールに接続され、かつ、
前記第一モジュールが起動される前に、前記電気デバイス及び前記無線充電デバイスの中の各モジュールに割り込みを付与し、並びに、前記第一モジュールによって実行される前記１又は２以上の機能に基づいて各モジュールに割り込みを再度付与するように構成される、請求項１１に記載の装置。
【請求項１７】
前記付与モジュールはさらに、
前記電気デバイス及び前記無線充電デバイスの中の各モジュールに、１又は２以上の割り込みを付与し、かつ、
割り込み信号のタイプと、優先度と、各割り込みの時間間隔とを付与するように構成される、請求項１６に記載の装置。
【請求項１８】
前記付与モジュールはさらに、
前記電気デバイス及び前記無線充電デバイスの中の各モジュールに１又は２以上の割り込みを再度付与し、かつ、
割り込み信号のタイプと、優先度と、各割り込みの時間間隔とを再度付与するように構成される、請求項１６に記載の装置。
【請求項１９】
前記起動モジュールはさらに、１又は２以上の機能を実行するために、前記割り込み信号の前記タイプに基づいて、前記装置の中の第二モジュールを起動するように構成され、かつ、
前記第二モジュールは、前記電気デバイス及び前記無線充電デバイスによって共有されない、請求項１１に記載の装置。
【請求項２０】
前記制御ユニットはさらに、
前記装置のカレント(current)動作モードを検出するように構成される検出モジュールと、
前記カレント動作モードに基づいて、前記装置の中の各モジュールをセットアップするように構成される構成モジュールと、を含む、請求項１１に記載の装置。
【請求項２１】
装置を制御するための情報を有する機械可読の有形的かつ非一時的媒体であって、前記情報が前記機械によって読み込まれるとき、前記機械は、
割り込み信号を受信するステップと、
前記割り込み信号のタイプを決定するステップと、
１又は２以上の機能を実行するために、前記割り込み信号の前記タイプに基づいて前記装置の中の第一モジュールを起動するステップと、を実行し、
前記装置は、電気デバイス及び無線充電デバイスを含み、かつ、
前記電気デバイス及び前記無線充電デバイスは、少なくとも前記第一モジュールを共有する、媒体。
【請求項２２】
前記無線充電デバイスは、無線電力受信モジュールを含み、かつ、
前記電気デバイスは、前記無線電力受信モジュールと同時に動作するように構成される、電気モジュールを含む、請求項２１に記載の媒体。
【請求項２３】
前記電気モジュールは、ナビゲートモジュールであり、かつ、
前記装置は、無線でナビゲートするとともに、同時に電力を受信するように構成される、請求項２２に記載の媒体。
【請求項２４】
前記無線充電デバイスは、無線電力伝送モジュールを含み、かつ、
前記電気デバイスは、前記無線電力伝送モジュールと同時に動作するように構成される、モジュールを含む、
請求項２１に記載の媒体。
【請求項２５】
前記電気モジュールは、ナビゲートモジュールであり、かつ、
前記装置は、無線でナビゲートするとともに、同時に電力を伝送するように構成される、請求項２４に記載の媒体。
【発明の詳細な説明】
【技術分野】
【０００１】
本発明は、概して電気デバイス及び無線充電デバイスを制御するための方法及び装置に関する。
【背景技術】
【０００２】
無線電力伝送とは、人為的な導電体を相互接続しないで、電源から電気負荷へと電気エネルギーを伝送することである。無線電力伝送の多くの共通している形態は、直接誘導に続いて共鳴磁場誘導を使用して実行される。他の方法は、マイクロ波又はレーザーの前記構造における電磁放射、及び、電気伝導を含む。無線電力伝送は、例えば、モバイルフォン、カメラ、音楽プレーヤ、ヘッドセット等のような、モバイルデバイスの広い範囲において、バッテリ充電又はその他の適切な負荷に対して使用されている。
【０００３】
電気デバイスは、動作するための電力を必要とする。無線充電デバイスは、電気デバイスに電力を供給することができる。しかしながら、従来の電気デバイス、特にGlobal Positioning System(GPS)受信器のような無線電気デバイスは、無線充電デバイスから独立して動作している。無線充電デバイス及び無線電気デバイスは、より広範囲に使用されている一方で、二つの独立したデバイス、つまり無線充電デバイス及び無線電気デバイスを有することが、リソースの浪費になっている。二つの異なる制御ユニットそれぞれによって制御される二つの隔てられたデバイスを扱うことは、ユーザにとって不便である。
【０００４】
従って、上述した問題を起こすことのない電気デバイス及び無線充電デバイスを制御する必要性がある。
【発明の概要】
【発明が解決しようとする課題】
【０００５】
本発明は、電気デバイス及び無線充電デバイスを制御するための方法、装置及びプログラムを説明する。
【課題を解決するための手段】
【０００６】
例示的な一態様において、１又は２以上のモジュールを含む装置を制御するための方法が提供される。割り込み信号が受信される。前記割り込み信号のタイプが決定される。前記装置の中の第一モジュールは、１又は２以上の機能を実行するために、前記割り込み信号の前記タイプに基づいて起動される。前記装置は、電気デバイス及び無線充電デバイスを含む。前記電気デバイス及び前記無線充電デバイスは、少なくとも前記第一モジュールを共有する。
【０００７】
例示的な他の態様において、電気デバイス、無線充電デバイス及び制御ユニットを含む装置が開示される。前記電気デバイス、前記無線充電デバイス及び前記制御ユニットのそれぞれは、１又は２以上のモジュールを含む。前記電気デバイス及び前記無線充電デバイスは、少なくとも一つのモジュールを共有する。前記制御ユニットは、前記電気デバイス及び前記無線充電デバイスに接続され、かつ、モニタリングモジュール及び起動モジュールを含む。前記モニタリングモジュールは、割り込み信号を受信し、かつ、前記割り込み信号のタイプを決定するように構成される。前記起動モジュールは、前記モニタリングモジュールに対して、割り込み信号のタイプに基づいて、１又は２以上の機能を実行するために前記電気デバイス及び前記無線充電デバイスによって共有される第一モジュールを起動するように構成される。
【０００８】
さらに例示的な他の態様において、１又は２以上のモジュールを有する装置を制御するために、記録された情報を有する機械可読かつ非一時的媒体が提供される。前記媒体に記録された情報は、前記機械によって読み込まれたとき、割り込み信号を受信するステップ、及び、前記受信された割り込み信号のタイプを決定するステップを含む一連のステップを前記機械に実行させる。続いて、前記装置の中の第一モジュールは、１又は２以上の機能を実行するための前記割り込み信号のタイプに基づいて起動される。前記装置は、電気デバイス及び無線充電デバイスを含む。前記電気デバイス及び前記無線充電デバイスは、少なくとも前記第一モジュールを共有する。
【図面の簡単な説明】
【０００９】
本実施形態は、以下の添付図面を参照しながら、次の説明に基づいて、より容易に理解することができる。ここで同様の参照番号は同様の構成要素を表している。
【図１】本発明の一実施形態に基づいて、電気デバイス、無線充電デバイス及び制御ユニットを含む装置の例示的な一実施形態を説明したブロック図である。
【図２】本発明の一実施形態に基づいて、図１に示される制御ユニットの例示的な一実施形態を説明したブロック図である。
【図３】本発明の一実施形態に基づいて、図１に示される前記電気デバイス及び前記無線充電デバイスの例示的な一実施形態を説明したブロック図である。
【図４】本発明の一実施形態に基づいて、電気デバイス及び無線充電デバイスが同時に動作するシステムの例示的な一実施形態を説明したブロック図である。
【図５】本発明の一実施形態に基づいて、電気デバイス及び無線充電デバイスが同時に動作する他のシステムの例示的な一実施形態を説明したブロック図である。
【図６】本発明の一実施形態に基づいて、電気デバイス及び無線充電デバイスを制御するための方法の例示的な一実施形態を説明したフローチャートである。
【図７】本発明の一実施形態に基づいて、電気デバイス及び無線充電デバイスを制御するための方法の他の例示的な実施形態を説明したフローチャートである。
【図８】本発明の一実施形態に基づいて、電気デバイス及び無線充電デバイスを制御するための方法の他の例示的な実施形態を説明したフローチャートである。
【図９】本発明の一実施形態に基づいて、プロセッサ及びメモリを含んでいる、図１に示された前記装置の中の制御ユニットの例示的な一実施形態を説明したブロック図である。
【発明を実施するための形態】
【００１０】
これより、本発明の実施形態を詳細に言及し、その実施例が添付図面において図示される。本発明は、その実施形態に関して説明されるが、本発明をこれらの実施形態に限定することを意図するものではないことは理解されるべきである。一方で、本発明は、添付された特許請求の範囲によって定義されている本発明の思想及び範囲の中に含まれる、代替、修正及び均等に及ぶことを意図している。
【００１１】
また、本発明の実施形態の以下の詳細な説明において、本発明の完全な理解を提供するために、多くの具体的な詳細が説明されている。しかし、本発明がこれらの具体的詳細なしで実施されるということは、当業者によって認識されるべきである。本発明の実施形態を不必要に曖昧にしないために、他の例においては、周知の方法、手順、構成要素及び回路は、詳細には説明されない。
【００１２】
本発明に基づいた様々な実施形態は、電気デバイス及び無線充電デバイスを制御するための方法及び装置を提供する。より具体的には、前記電気デバイス及び前記無線充電デバイスは、装置の中の単独の制御ユニットを使用して制御されてもよい。前記電気デバイス及び前記無線充電デバイスのそれぞれは、１又は２以上のモジュールを有する。前記装置の中の前記電気デバイス及び前記無線充電デバイスは、少なくとも一つのモジュールを共有する。前記装置の中の前記無線充電デバイスは、無線電力伝送モジュール又は無線電力受信モジュールを含んでもよい。前記装置の中の前記電気デバイスは、例えばナビゲートモジュールのような電力を必要とする電気モジュールを含んでもよい。ナビゲートモジュール又はナビゲート受信器の説明は、ここで実施例として使用されるが、開示される方法及び装置は、他の電気モジュールにも同様にして適用可能である。
【００１３】
ここで開示される方法及び装置は、前記装置によって、単独の無線電力伝送器、単独の無線電力受信器又は単独の無線ナビゲート受信器として動作することができる。また、ここで開示される方法及び装置は、前記装置によって、無線電力伝送器と無線ナビゲート受信器の両方として動作することができる。さらに、ここで開示される方法及び装置は、前記装置によって、無線電力受信器と無線ナビゲート受信器の両方として動作することができる。前記装置の異なる動作モードに応じて、１又は２以上の機能を実行するために、前記装置の中の異なるモジュールが起動されてもよい。前記装置の前記動作モードに関わらず、前記装置の中の単独の制御ユニットが、異なるモジュールに付与された割り込みを介して、前記電気デバイス及び前記無線充電デバイスを制御してもよい。
【００１４】
例示的な一実施形態において、ここで開示される方法及び装置は、前記電気デバイスの中のナビゲートモジュールによって、前記無線充電デバイスの中の無線電力伝送モジュールと同時に動作することができる。この例示的な実施形態において、前記装置は、ナビゲート信号を受信するナビゲート受信器として、かつ、他の装置に無線で電力を伝送する無線電力伝送器としての両方で動作する。前記電気デバイス及び前記無線充電デバイスによって共有される少なくとも一つのモジュールは、この例示的な実施形態において、リソースを節約するように起動されてもよい。他の例示的な実施形態において、ここで開示される方法及び装置は、前記電気デバイスの中のナビゲートモジュールによって、前記無線充電デバイスの中の無線電力受信モジュールと同時に動作することができる。この例示的な実施形態において、前記装置は、ナビゲート信号を受信するナビゲート受信器として、かつ、前記ナビゲート受信器を充電するために無線で電力を受信する無線電力受信器としての両方で動作する。前記電気デバイス及び前記無線充電デバイスによって共有される少なくとも一つのモジュールは、この例示的な実施形態において、リソースを節約するように起動されてもよい。
【００１５】
追加的な新しい特徴が、以下の説明において部分的に説明されるとともに、一部は以下の説明及び添付図面の精査に基づき当業者には明らかになり、又は、実施例の製造又は実施によって認識されるだろう。
【００１６】
図１は、本発明の一実施形態に基づいて、電気デバイス及び無線充電デバイスを制御するための装置100の例示的な一実施形態を説明している。本発明の一実施形態に基づいて、前記装置100は、電気デバイス110、無線充電デバイス120及び制御ユニット130を含む任意の適切な装置であってもよい。前記電気デバイス110は、前記電気デバイス110に基づいて１又は２以上の機能を実行するために１又は２以上のモジュール112を含んでもよい。前記無線充電デバイス120はまた、前記無線充電デバイス120に基づいて、１又は２以上の機能を実行するために、１又は２以上のモジュール122を含んでもよい。前記電気デバイス110及び前記無線充電デバイス120は、前記電気デバイス110及び前記無線充電デバイス120の両方に基づいて１又は２以上の機能を実行するために、１又は２以上のモジュール102を共有してもよい。前記制御ユニット130は、前記装置100の中に前記電気デバイス110及び前記無線充電デバイス120を制御するための１又は２以上のモジュール132を含んでもよい。前記制御ユニット130は、ARM又はその他の単独のチップシステム(single chip systems)を含む中央処理ユニット(CPU)の任意のタイプを含んでもよいが、これらに限定されない。例示的な一実施形態において、前記装置100は、例えばAdvanced Microcontroller Bus Architecture (AMBA)バスのようなバス150を含んでもよい。前記バス150は、前記電気デバイス110の中のモジュール112と、前記無線充電デバイス120の中のモジュール122と、前記電気デバイス110と、前記無線充電デバイス120によって共有されるモジュール102と、前記制御ユニット130の中のモジュール132と、に接続している。前記制御ユニット130は、前記バス150を介して、前記電気デバイス110及び前記無線充電デバイス120に接続されている。前記電気デバイス110及び前記無線充電デバイス120はともに、前記制御ユニット130によって、前記バス150を介して制御されてもよい。
【００１７】
この例示的な実施形態において、前記電気デバイス110は、例えば、グローバル・ポジショニング・システム(global positioning system(GPS))、ラップトップコンピュータ、ネットブックコンピュータ、デジタルカメラ、ビデオカメラ、携帯デバイス(例えば、ダム(dumb)又はスマートフォン、タブレット等)、ゲーム機、セットトップボックス、音楽プレーヤ、又は、任意の他の適切なデバイスのような、任意の適切な電気デバイスであってもよいが、これらに限定されない。この例示的な実施形態において、前記無線充電デバイス120は、他の装置に電力を無線で供給する任意の適切な電力伝送モジュールを含んでもよい。他の例示的な実施形態において、前記無線充電デバイス120は、他の装置から無線で電力を受信する任意の適切な電力受信モジュールを含んでもよい。
【００１８】
図２は、本発明の一実施形態に基づいて、前記制御ユニット130の例示的な一実施形態を説明している。この例示的な実施形態において、前記制御ユニット130は、検出モジュール231、構成モジュール232、付与モジュール234、起動モジュール236及びモニタリングモジュール238を含む。この例示的な実施形態において、前記モニタリングモジュール238は、割り込み信号を受信するとともに、前記割り込み信号のタイプを決定するように構成される。前記割り込み信号は、前記電気デバイス110又は前記無線充電デバイス120のいずれかから生じてもよい。この例示的な実施形態において、前記起動モジュール236は、モニタリングモジュール238に接続され、かつ、前記割り込み信号の前記タイプに基づいて、前記電気デバイス110又は前記無線充電デバイス120によって共有される第一モジュールを起動するように構成される。前記第一モジュールは、起動されると１又は２以上の機能を実行することができる。
【００１９】
この説明された例示的な実施形態において、前記付与モジュール234は、前記起動モジュール236に接続される。前記付与モジュール234は、前記第一モジュールが起動する前に、前記電気デバイス110及び前記無線充電デバイス120の中の各モジュールに割り込みを付与するように構成されてもよい。前記付与モジュール234はまた、前記電気デバイス110及び前記無線充電デバイス120の中の各モジュールに１又は２以上の割り込みを付与するよう構成されてもよい。前記付与モジュール234はまた、割り込み信号のタイプと、優先度と、各割り込みの時間間隔とを付与するように構成されてもよい。割り込み信号の前記タイプは、どのモジュールが前記割り込み信号を受信して起動される必要があるかということを決定するために使用されてもよい。前記割り込みの優先度は、もし両方の割り込みの信号が前記制御ユニット130において受信された場合にこの割り込みが別の割り込みの前あるいは後に処理されるべきか否かを決定するために使用されてもよい。前記時間間隔は、どのくらいの頻度で割り込みが生成されるかの決定に使用されることができる。
【００２０】
いくつかの例示的な実施形態において、前記付与モジュール234はまた、前記第一モジュールによって実行される前記１又は２以上の機能に基づいて前記電気デバイス110及び前記無線充電デバイス120の中の各モジュールに割り込みを再度付与するように構成されてもよい。前記付与モジュール234はまた、前記電気デバイス110及び前記無線充電デバイス120の中の各モジュールに１又は２以上の割り込みを再度付与するように構成されてもよい。前記付与モジュール234はまた、割り込み信号のタイプと、優先度と、各割り込みの時間間隔とを再度付与するように構成されてもよい。
【００２１】
いくつかの例示的な実施形態において、前記起動モジュール236はさらに、前記割り込み信号の前記タイプに基づいて、前記装置100の中の第二モジュールを起動するように構成されてもよい。これらの例示的な実施形態における前記第二モジュールは、前記電気デバイス110及び前記無線充電デバイス120によって共有されない。これらの例示的な実施形態における前記第二モジュールは、起動されると１又は２以上の機能を実行してもよい。前記検出モジュール231は、前記装置100のカレント(current)動作モードを検出するように構成されてもよい。この例示的な実施形態の中の構成モジュール232は、検出モジュール231に接続され、かつ、前記カレント動作モードに基づいて、前記装置100の中の各モジュールをセットアップするように構成されてもよい。
【００２２】
図９に示される実施形態において、前記制御ユニット130は、１又は２以上のプロセッサ920及びメモリ910によって実施されてもよい。この説明において、ソフトウェアプログラム及びデータは、前記メモリ910にロードされ、かつ、前記プロセッサ920によって実行されてもよい。前記プロセッサ920は、例えばマイクロプロセッサ、マイクロコントローラ、中央処理ユニット、電気制御ユニット等のような任意の適切な処理ユニットであってもよいが、これらに限定されない。前記メモリ910は、例えば、離散メモリ、又は、前記プロセッサ920と統合された統合メモリであってよい。前記データは、例えば、前記装置100のカレント動作モード912を含んでもよい。前記データはまた、例えば、割り込み信号のタイプ914と、優先度916と、前記装置100に付与された各割り込みの時間間隔918とを含んでもよい。
【００２３】
図３は、本発明の一実施形態に基づいて、前記電気デバイス110及び前記無線充電デバイス120の例示的な一実施形態を説明している。この例示的な実施形態において、前記電気デバイス110は、１又は２以上の電気モジュール312、314を含む。この例示的な実施形態における前記電気モジュール312、314は、動作するための電力を必要とする。この説明における前記無線充電デバイス120は、前記電気デバイス110の中の１又は２以上の電気モジュール312、314と同時に動作するように構成される無線電力受信モジュール330を含んでもよい。前記無線電力受信モジュール330は、コイル322及び整流器324を含んでもよい。この例示的な実施形態において、前記コイル322は、その共振回路によって磁場を受信し、かつ、それをAC電圧信号に変換する役割を担っている。前記整流器324は、前記AC電圧信号をDC電圧信号に変換するように構成されてもよい。この例示的な実施形態において、前記無線充電デバイス120はまた、例えば電圧、電流又は電力のような、受信された電力と関連する任意の適切な電気的パラメータを検出するように構成されるADCモニタ326を含んでもよい。
【００２４】
いくつかの実施形態において、前記無線充電デバイス120は、前記電気デバイス110の中の１又は２以上の電気モジュール312、314と同時に動作するように構成される無線電力伝送モジュール340を含んでもよい。前記無線電力伝送モジュール340は、パルス発生器302及びコイルを含んでもよい。前記パルス発生器302は、AC電圧信号を生成する役割を担ってもよい。前記無線電力伝送モジュール340の中のコイルは、前記AC電圧信号の電場を磁場に変換し、かつ、前記磁場を伝送する役割を担っている。いくつかの例示的な実施形態において、前記無線電力受信モジュール330及び前記無線電力伝送モジュール340は、コイル322を共有することができ、前記コイルは、その共振回路によって磁場を受信かつ伝送し、並びにAC電圧信号の電場と前記磁場との間で変換する役割を担ってもよい。
【００２５】
さらにこの実施形態において、前記電気デバイス110及び前記無線充電デバイス120は、パルス発生器302、タイマー304、読み込みインターフェース306及び表示インターフェース308を含む１又は２以上のモジュールを共有してもよいが、これらに限定されない。前記タイマー304は、固定された時間間隔に基づいて、割り込み信号の生成を制御する、又は、前記制御ユニット130のタイミングを問い合わせる(querying)役割を担ってもよい。前記読み込みインターフェース306は、前記装置100の外から受信されたデータを読み込み、かつ、構成する役割を担ってもよい。様々な実施形態に基づいて、前記読み込みインターフェース306は、シリアル周辺機器インターフェース(Serial Peripheral Interface (SPI))又は汎用非同期送受信機(Universal Asynchronous Receiver/Transmitter (UART))に基づいてもよい。前記表示インターフェース308は、命令又はコマンドを表示する役割を担ってもよい。様々な実施形態に基づいて、前記表示インターフェース308は、多目的入出力(General Purpose Input/Output (GPIO))に基づいてもよい。
【００２６】
この実施形態における前記装置100は、様々な動作モードにおいて動作してもよい。ある動作モードにおいて、前記電気デバイス110は前記無線電力伝送モジュール340と同時に動作する。この動作モードにおいて、前記電気デバイス110及び前記無線充電デバイス120によって共有されるモジュールを含む前記電気デバイス110の中の全てのモジュールは、１又は２以上の機能を実行するように起動されてもよい。他の動作モードにおいて、前記電気デバイス110は、前記無線電力受信モジュール330と同時に動作する。この動作モードにおいて、前記電気デバイス110及び前記無線充電デバイス120によって共有されるモジュールを含む前記電気デバイス110の中の全てのモジュールは、１又は２以上の機能を実行するように起動されてもよい。両方の動作モードにおいて、全ての動作モジュールは、前記装置100の中のバス150に接続される。複数のモジュールが前記装置の中で同時に動作するとき、前記装置100の中の前記制御ユニット130は、バス150を介して前記動作モジュールから受信された割り込み信号を、異なるタイムスロットで処理することによって、前記動作モジュールを同時に制御することができる。
【００２７】
図４は、本発明の一実施形態に基づいて、前記電気デバイス110及び前記無線充電デバイス120が同時に動作するシステムの例示的な一実施形態を説明しているブロック図である。この例示的な実施形態において、前記装置100は、無線でナビゲートし、かつ、無線で電力を受信するカレント動作モードを有している。この例示的な実施形態における前記電気デバイス110は、電気モジュールとしてナビゲートモジュール412を含む。この例示的な実施形態における前記無線充電デバイス120は、無線電力受信モジュール430を含む。前記装置100は、前記ナビゲートモジュール412を使用して無線でナビゲートし、かつ、同時に前記無線電力受信モジュール430を使用して電力を受信するように構成される。前記無線電力受信モジュール430において受信された電力は、伝送装置400から無線で伝送されてもよい。前記伝送装置400は、無線充電ステーションを含む任意の適切な無線電力伝送器であってもよいが、これに限定しない。前記無線電力受信モジュール430において受信される電力は、ナビゲートモジュール412を充電するために使用されてもよい。パルス発生器302は、前記無線電力受信モジュール430へ通信信号を出力し、かつ、前記ナビゲートモジュールへパルス信号を１ppsで生成するように構成されてもよい。
【００２８】
この例示的な実施形態において、前記電気デバイス110及び前記無線充電デバイス120を制御するための方法が提供される。無線でナビゲートし、かつ、無線で電力を受信するカレント動作モードが検出される。従って、そのとき前記装置100の中に様々な割り込みが付与される。前記電気デバイス110において、付与された割り込みは、定期的な読み込みデータ及びナビゲーションのステータスに対する割り込みや、単一計算に対する割り込み等を含む。前記無線充電デバイス120において、付与される割り込みは、定期的なデータパケット送信に対する割り込み、高過ぎる温度に対する割り込み、高過ぎる電流に対する割り込み等を含む。前記装置100は、各動作モジュールは割り込みが付与された後、アイドル状態に入る。もし、前記モニタリングモジュール238が、高過ぎる電流に対する割り込みの信号を受信する場合、前記起動モジュール236は、前記表示インターフェース308(例えば、GPIO)及び前記コイル322を起動してもよい。表示ランプが点灯してもよい。高過ぎる電流を示すために、データパケットが送信されてもよい。そして、様々な割り込みが、前記装置100の中に再度付与されてもよい。例えば、前記装置100の中の前記付与モジュール234は、高過ぎる電流を示すデータパケットの定期的な送信に対する割り込みの時間間隔を再度付与してもよい。もし、前記モニタリングモジュール238が、定期的な読み込みデータ及びナビゲーションのステータスに対する割り込みの信号を受信した場合、前記起動モジュール236は、ナビゲーションのデータを読み込むために、読み込みインターフェース306(例えば、UART)を起動してもよい。前記パルス発生器302は、パルス信号を１ppsで生成かつ送信するために起動されてもよい。前記表示インターフェース308(例えば、GPIO)は表示信号を出力するために起動されてもよい。そして、様々な割り込みが、前記装置100に再度付与されてもよい。例えば、前記装置100の中の前記付与モジュール234は、定期的な読み込みデータ及びナビゲーションのステータスに対する割り込みの優先度を再度付与してもよい。
【００２９】
図５は、本発明の一実施形態に基づく、前記電気デバイス110及び前記無線充電デバイス120の例示的なブロック図を表している。この例示的な実施形態において、前記装置100は無線でナビゲートし、かつ、無線で電力を伝送するカレント動作モードを有する。この例示的な実施形態における前記電気デバイス110は、前記電気モジュールとしてナビゲートモジュール512を含む。この例示的な実施形態における前記無線充電デバイス120は、無線電力伝送モジュール540を含む。前記装置100は、ナビゲートモジュール512を使用して無線でナビゲートし、かつ同時に前記無線電力伝送モジュール540を使用して電力を伝送するように構成される。前記無線電力伝送モジュール540は、受信装置500に無線で電力を伝送してもよい。前記受信装置500は、スマート携帯電話及びMP3プレーヤを含む、任意の適切な無線電力受信器であってもよく、これらに限定しない。この例示的な実施形態において、前記パルス発生器302は、前記無線電力伝送モジュール540に対して例えば反転信号のような制御信号を生成し、かつ、前記ナビゲートモジュールに対して例えば１ppsでパルス信号を生成するように構成されてもよい。
【００３０】
図６は、本発明の一実施形態に基づく、前記電気デバイス110及び前記無線充電デバイス120を制御するための例示的なプロセスのフローチャートである。ステップ610において始まり、割り込み信号が電気デバイス110又は無線充電デバイス120のどちらかから受信される。ステップ620に進行し、前記割り込み信号のタイプが決定される。上記に説明されたように、ステップ610及びステップ620は、例えば制御ユニット130のモニタリングモジュール238によって実行されてもよい。ステップ630に移り、装置100の中の第一モジュールは１又は２以上の機能を実行するために前記割り込み信号のタイプに基づいて起動される。前記第一モジュールは、前記電気デバイス110及び前記無線充電デバイス120によって共有される。上記で説明されたように、ステップ630は、例えば、制御ユニット130の起動モジュール236によって実行されてもよい。 
【００３１】
図７は、本発明の一実施形態に基づく、電気デバイス110及び無線充電デバイス120を制御するための別の例示的なプロセスのフローチャートである。ステップ706において始まり、１又は２以上の割り込みが、装置100の中の各モジュールに付与される。それぞれの割り込みは、割り込み信号のタイプと、優先度と、時間間隔とが付与されている。前記割り込み信号のタイプは、どのモジュールが前記割り込み信号を受信して起動される必要があるかということを決定するために使用されてもよい。割り込みの前記優先度は、前記制御ユニット130において、この割り込みは、もし両方の割り込みの信号が前記制御ユニット130において受信された場合に、別の割り込みの前あるいは後に処理されるべきか否かを決定するために使用されてもよい。例示的な一実施形態において、より低い優先度を持つ割り込みよりも前に、より高い優先度を持つ割り込みが処理される。前記時間間隔は、どのくらいの頻度で割り込みが生成されるかを決定するために使用されてもよい。ある状況において、前記時間間隔は既知の基準に基づいて付与されてもよい。例えば、前記無線充電デバイス120における定期的なデータパケット送信に対する割り込みの時間間隔は、QI通信プロトコル(Wireless Power Consortium)に基づいて付与されてもよい。他の状況において、時間間隔は、対応するステータス及び動作に基づいて付与されてもよい。例えば、電気充電デバイス110における定期的な読み込みデータ及びナビゲーションのステータスに対する割り込みの時間間隔は、前記装置が、デバック状態であるかどうか、及び、データインターフェースがサポートすることができる最大速度に基づいて付与されてもよい。上記に説明したように、ステップ706は、例えば前記制御ユニット130の付与モジュール234によって実行されてもよい。
【００３２】
前記装置100は、そして、ステップ708で随意にアイドル状態に入る。ステップ710に移り、割り込み信号が電気デバイス110又は無線充電デバイス120のいずれかから受信される。ステップ720に進行し、割り込み信号のタイプが決定される。上記で説明したように、ステップ710及びステップ720は、例えば制御ユニット130のモニタリングモジュール238によって実行されてもよい。ステップ730に移り、装置100の中の第一モジュールは、１又は２以上の機能を実行するために割り込み信号のタイプに基づいて起動される。前記第一モジュールは、電気デバイス110及び無線充電デバイス120によって共有される。上記で説明したように、ステップ730は、例えば制御ユニット130の起動モジュール236によって実行されてもよい。そして、ステップ706に戻り、第一モジュールによって実行される１又は２以上の機能に基づいて、装置100の中の各モジュールに、割り込みが再度付与されてもよい。例えば、いくつかの割り込みに対する優先度又は時間間隔が、より高い又はより低い値に再度付与されてもよい。これは、例えば制御ユニット130の付与モジュール234によって再度実行されてもよい。
【００３３】
図８は、本発明の一実施形態に基づく、電気デバイス110及び無線充電デバイス120を制御するための例示的プロセスのさらに別のフローチャートである。ステップ802において始まり、装置100のカレント動作モードが検出される。この例示的なプロセスにおいて、カレント動作モードは、単独の無線電力伝送器、単独の無線電力受信器、単独のナビゲートデバイス、無線電力伝送器プラスナビゲートデバイス、又は、無線電力伝送器プラスナビゲートデバイスであってもよい。上記で説明したように、これは、例えば制御ユニット130の検出モジュール231によって実行されてもよい。ステップ804に移り、装置100の中の各モジュールがカレント動作モードに基づいてセットアップされる。上記で説明したように、これは、例えば制御ユニット130の構成モジュール232によって実行されてもよい。ステップ806に進行し、１又は２以上の割り込みが、装置100の中の各モジュールに付与される。それぞれの割り込みは、割り込み信号のタイプと、優先度と、時間間隔とが付与される。上記で説明したように、これは、例えば制御ユニット130の付与モジュール234によって実行されてもよい。前記装置100は、ついで、ステップ808で随意にアイドル状態に入る。ステップ810に移り、割り込み信号が、前記電気デバイス110又は前記無線充電デバイス120のいずれかから受信される。ステップ820に進行し、前記割り込み信号のタイプが決定される。上記で説明したように、ステップ810及びステップ820が、例えば制御ユニット130のモニタリングモジュール238によって実行されてもよい。ステップ830に移り、１又は２以上の機能を実行するために、割り込み信号のタイプに基づいて装置100の中の第一モジュール及び第二モジュールの両方が起動される。前記第一モジュールは、前記電気デバイス110及び前記無線充電デバイス120によって共有されてもよい。前記第二モジュールは、前記電気デバイス110及び前記無線充電デバイス120によって共有されなくてもよい。様々な実施形態に基づいて、第一及び第二モジュール以外のモジュールが起動されてもよい。上記で説明したように、ステップ830は、例えば、前記制御ユニット130の前記起動モジュール236によって実行されてもよい。ステップ840において、前記装置100の中の前記第一モジュール及び第二モジュールは、両方とも、１又は２以上の機能を実行する。ついで、ステップ806に戻り、前記第一モジュール及び第二モジュールによって実行される１又は２以上の機能に基づいて、前記装置100の中の各モジュールに、割り込みが再度付与されてもよい。これは、例えば前記制御ユニット130の付与モジュール234によって再度実行されてもよい。
【００３４】
電気デバイス及び無線充電デバイスを制御する方法の形態は、上述したように、プログラミングにおいて実施されることができる。前記技術のプログラムの形態は、典型的に、機械可読媒体の形態において送信又は実施される、実行可能なコード及び/又は関連するデータの形態で、“製品”又は“製造品”として考えることができる。有形の非一時的“記憶”型媒体は、メモリ又はコンピュータのための他の記憶装置、プロセッサ等、あるいはそれらの関連するモジュールのいずれか又は全てを含む。それは例えば、任意時にコンピュータ実施の方法のための記憶装置を提供可能な、様々な半導体メモリ、テープドライブ、ディスクドライブ等である。
【００３５】
全て又は一部のコンピュータ実施の方法は、例えばインターネット又は様々な遠隔通信ネットワークのようなネットワークを介して、任意の時間において通信されてもよい。そのような通信は、例えば、一つのコンピュータ又はプロセッサから別のものへとソフトウェアのロードを可能にする。従って、コンピュータ実施の方法の構成要素を搬送する媒体の別の形態は、有線及び光学の地上配線ネットワークと様々なエアリンクのネットワークとを介して、例えばローカルデバイス間の物理インターフェースに亘って使用される、光学的、電気的及び電磁気的な波を含んでもよい。例えば、有線又は無線リンク、光学リンク等のような波を搬送する物理的構成要素はまた、前記コンピュータ実施の方法を搬送する媒体として考えることができる。ここで、有形の“記憶”媒体に制限されない限り、例えばコンピュータ又は機械“可読媒体”のような用語は、プロセッサに実行の命令を提供することに関与する任意の媒体について言及している。
【００３６】
従って、機械可読媒体は、有形の記憶媒体、搬送波媒体、又は物理伝送媒体を含む多くの形態をとることができるが、これらに限定されない。不揮発性媒体は、以下の図面に示されるシステム又はシステムの任意構成要素を実装するために使用される、例えば任意のコンピュータ等の中にある任意の記憶デバイスのような、例えば光学又は磁気ディスクを含む。揮発性記憶媒体は、コンピュータプラットフォームのような例えばメインメモリのような、動的メモリを含む。有形伝送媒体は、コンピュータシステムの中にバスを形成するワイヤを含んでいる、同軸、銅線及び光ファイバーケーブルを含む。搬送波伝送媒体は、無線周波数(RF)、赤外線(IR)データ通信の際に生成されるような、電気的又は磁気的信号、あるいは、音波又は光波の形態をとってもよい。コンピュータ可読媒体の共通する形態は、それゆえに、例えば、フロッピー（登録商標）ディスク、フレキシブルディスク、ハードディスク、磁気テープ、他の任意の磁気媒体、CD-ROM、DVD又はDVD-ROM、他の任意の光学媒体、パンチカード紙テープ、ホールのパターンを有する他の任意の物理記憶媒体、RAM、PROM及びEPROM、FLASH-EPROM、他の任意のメモリチップ又はカートリッジ、データ又は命令を送信する搬送波、そのような搬送波を送信するケーブル又はリンク、又は、コンピュータがプログラミングコード及び/又はデータを読み込むことができる他の任意の媒体を含む。コンピュータ可読媒体のこれらの形態の多くは、プロセッサに実行のための１又は２以上の命令の、１又は２以上のシーケンスを送信することを含んでもよい。
【００３７】
当業者は、本発明は様々な修正及び/又は改良が可能であることを理解すべきである。例えば、上記で説明された様々な構成要素の実施形態はハードウェアデバイスにおいて実施されるが、それはまた、ファームウェア、ファームウェア/ソフトウェアの組み合わせ、ファームウェア/ハードウェアの組み合わせ、又は、ハードウェア/ファームウェア/ソフトウェアの組み合わせとして実施されてもよい。
【００３８】
前述の説明及び図面は、本発明の実施形態を表しているが、様々な追加、修正及び置換は、本発明の思想及び原理の範囲から逸脱することなく、添付する特許請求の範囲に定義されるものとして理解されるべきである。本発明の原理から逸脱しないで、特定の環境及び実施可能要件を具体的に適用している本発明の実施に用いられる形態、構造、配列、割合、材料、要素、及び構成要素等の多くの修正に、本発明が使用できるということを、当業者は理解する。それゆえに、ここに開示された実施形態は、例示としてかつ限定されていないすべての態様が考慮される。本発明の範囲は、上記の説明に限定されることなく、添付の特許請求の範囲及びその法的均等物によって認定される。
【符号の説明】
【００３９】
１１０  電気デバイス
１０２  モジュール
１１２  モジュール
１２０  無線充電デバイス
１２２  モジュール
１３０  制御ユニット
１３２  モジュール
１５０  バス
２３１  検出モジュール
２３２  構成モジュール
２３４  付与モジュール
２３６  起動モジュール
２３８  モニタリングモジュール
３０２  パルス発生器
３０４  タイマー
３０６  読み込みインターフェース
３０８  表示インターフェース
３１２  電気モジュール
３１４  電気モジュール
３２２  コイル
３２４  整流器
３２６  ADCモニタ
３３０  無線電力受信モジュール
３４０  無線電力伝送モジュール
４００  伝送装置
４１２  ナビゲートモジュール
４３０  無線電力受信モジュール
５００  受信装置
５１２  ナビゲートモジュール
５４０  無線電力伝送モジュール
９１０  メモリ
９１２  カレント動作モード
９１４  割り込み信号のタイプ
９１６  優先度
９１８  時間間隔
９２０  プロセッサ
【図１】
2015040855.tif 000003
【図２】
2015040855.tif 000004
【図３】
2015040855.tif 000005
【図４】
2015040855.tif 000006
【図５】
2015040855.tif 000007
【図６】
2015040855.tif 000008
【図７】
2015040855.tif 000009
【図８】
2015040855.tif 000010
【図９】
2015040855.tif 000011